(57)【特許請求の範囲】
【請求項１】
箱体に収納した袋体に液体を注入する際に用いる注入補助具であって、
前記袋体の注入口を係止する係止部と、
前記袋体を前記箱体に収納するときに、前記箱体に取り付けられ、前記係止部で係止した前記注入口が前記箱体によって上向きに保持されるようにする取付部と、
前記取付部を前記箱体に取り付けた状態で、前記係止部を前記注入口から解除可能な解除手段と、
を備えたことを特徴とする注入補助具。
【請求項２】
折り畳んだ前記袋体を前記注入口の下側から保持する保持プレートを備え、
前記保持プレートは、前記係止部よりも下側に設けられ水平方向にのびる回転軸周りに回転自在に支持されていることを特徴とする請求項１に記載の注入補助具。
【請求項３】
前記解除手段は、前記係止部を係止位置と解除位置とにスライド移動するためのレール部と、前記係止部を前記係止位置に付勢するための付勢手段とを備えたことを特徴とする請求項１または請求項２に記載の注入補助具。
【請求項４】
前記注入口に着脱自在なじょうごを備え、
前記じょうごの開口は、前記箱体の開口にちょうど収まるように構成されていることを特徴とする請求項１から請求項３のいずれか１項に記載の注入補助具。
【発明の詳細な説明】
【技術分野】
【０００１】
本発明は、液体を充填する袋体と、この袋体を収納する箱体とからなる液体容器に液体を注入するときに用いる注入補助具に関する。
【背景技術】
【０００２】
従来から、液体を充填する容器として、ドラム缶や、バッグインボックス（バロンボックス）などが広く知られている。バッグインボックスとは、プラスチック等からなり、液体を充填するためのフレキシブルな袋体と、段ボール等からなり、袋体を収納するための箱体とで構成される液体容器である。
【０００３】
バッグインボックスは、ドラム缶と比べて軽量であり、さらに液体を充填する前においては、箱体および袋体ともに折り畳み可能であるため、輸送および保管が容易で、非常にスペース効率がよい。
【０００４】
一方で、ドラム缶の場合と違い、袋体はフレキシブルな素材で構成されているため、自立性が悪く、液体を充填しているときに、袋体の注入口が動いたり、傾いたりすることによって、液体が漏れる虞がある。そのため、液体を充填する際には、袋体の注入口が上向きになるように保持しておく必要がある。
【０００５】
例えば、特許文献１では、充填機により袋体に液体を充填するときに、袋体の注入口を保持するために保持治具を用いている。この保持治具は、ブラケット（係止部）を備え、このブラケットに袋体の注入口を挟み込んで、注入口が上向きになるように係止している。そして、液体を充填した後、袋体をブラケットから取り外し、組み立てた箱体に収納する。しかしながら、液体を充填した袋体は重量があるため、これを箱体に収納するのは非常に負担が大きい。
【０００６】
特許文献１の保持治具を用いて注入口を係止し、袋体および保持治具を箱体に収納してから液体を充填すれば、上記のような負担はなくなる。しかしながら、液体充填後に保持治具を箱体から取り出す必要があるところ、ブラケットが袋体の注入口を係止しているため、単純に保持治具を持ち上げても、ブラケットが注入口に引っ掛かり、保持治具だけを箱体から取り出すことはできない。
【０００７】
また、保持治具を取り出す際にブラケットが注入口に引っ掛からないようにするため、無理に保持治具全体を傾ければ、ブラケットとともに、これに係止された注入口も傾いて、注入口から充填した液体が漏れる。充填する液体が塩酸や硫酸などの化学薬品に限らずたとえ水の場合であっても、液漏れにより箱体が濡れると、箱体は傷み、その強度が低下する。
【先行技術文献】
【特許文献】
【０００８】
【特許文献１】実開平０７−００６１０３号公報
【発明の概要】
【発明が解決しようとする課題】
【０００９】
そこで、本発明が解決しようとする課題は、液体を充填しやすく、袋体の注入口からの液漏れを防止でき、さらに、袋体および箱体から取り外し容易な注入補助具を提供する。
【課題を解決するための手段】
【００１０】
上記課題を解決するために、本発明に係る注入補助具は、箱体に収納した袋体に液体を注入する際に用いる注入補助具であって、
袋体の注入口を係止する係止部と、袋体を箱体に収納するときに、箱体に取り付けられ、係止部で係止した注入口が箱体によって上向きに保持されるようにする取付部と、取付部を箱体に取り付けた状態で、係止部を注入口から解除可能な解除手段と、を備える。
【００１１】
好ましくは、折り畳んだ袋体を注入口の下側から保持する保持プレートを備え、保持プレートは、係止部よりも下側に設けられ水平方向にのびる回転軸周りに回転自在に支持されている。
【００１２】
好ましくは、解除手段は、係止部を係止位置と解除位置とにスライド移動するためのレール部と、係止部を係止位置に付勢するための付勢手段とを備える。
【００１３】
好ましくは、注入口に着脱自在なじょうごを備え、じょうごの開口は、箱体の開口にちょうど収まるように構成される。
【発明の効果】
【００１４】
本発明に係る注入補助具は、箱体内に袋体を収納するときに、袋体の注入口を上向きに係止した状態で、箱体に取り付けることができる。袋体よりも自立性がよい箱体に注入補助具を取り付けることによって、係止部は安定して注入口を係止できるので、液体を充填している際に、注入口が動いたり、傾いたりすることはない。したがって、液体を注入しやすく、注入口から液体が漏れる虞はない。
【００１５】
さらに、本発明に係る注入補助具は、解除手段により、箱体に取り付けた状態で、係止部を注入口から解除することができる。したがって、液体の充填が完了した後、注入補助具を取り出す際に、解除手段により係止部を注入口から解除すれば、係止部が注入口に引っ掛かることはなく、簡単に注入補助具を袋体および箱体から取り出すことができる。すなわち、注入補助具を取り出す際に、無理に注入補助具全体を傾けなくてよいので、注入口が傾いて、注入口から液体が漏れることはなく、液漏れにより箱体が濡れ、傷むことはない。
【図面の簡単な説明】
【００１６】
【図１】本発明に係る注入補助具を示す斜視図である。
【図２】本発明に係る注入補助具を示す図であって、図２Ａは平面図、図２Ｂは側面図である。
【図３】本実施例で用いられる袋体を示す図であって、図３Ａは広げた状態を示し、図３Ｂは折り畳んだ状態を示す図である。
【図４】係止部が注入口を係止し、保持プレートが袋体を保持した状態を示す図である。
【図５】本発明に係る注入補助具の使用状態を示す図であり、係止部が係止位置にある場合を示す。
【図６】本発明に係る注入補助具の使用状態を示す図であり、係止部が解除位置にある場合を示す。
【図７】じょうごを示す図である。
【発明を実施するための形態】
【００１７】
本発明に係る注入補助具１（以下、単に注入補助具とする）は、図１に示されるようなものであって、図５に示すように、この注入補助具１を用いて袋体２を箱体４に収納し、袋体２に液体を充填する。
【００１８】
本実施例で用いられる袋体２は、図３Ａに示されるようなものであって、フレキシブルな素材、例えばプラスチックからなり、直方形状で自立可能な比較的頑丈なものである。袋体２の上面２０には、液体を注入するための注入口３を備える。注入口３には、ねじ部３０が形成されており、このねじ部３０に、キャップ（図示せず）のねじ部がねじ合わされることにより、注入口３を密閉することができる。さらに、注入口３は、ねじ部３０の下側に、フランジ部３１が形成される。
【００１９】
袋体２の対向する側面２２、２４のそれぞれには、対角線上に折り目２６が形成される。この側面２２、２４が、折り目２６に沿って折り込まれることによって、図３Ｂに示すように、袋体２の側面２１と底面２５とが重なり、上面２０と側面２３とが重なるように、袋体２を内側に折り畳むことができる。液体を充填する前には、袋体２はこのように折り畳まれた状態で保管されている。
【００２０】
本実施例で用いられる箱体４は、例えば、折り畳み可能な段ボールであって、図５に示されるように、直方形状であり、直方形状に広げられた袋体２をちょうど収納できる程度の大きさである。箱体４の各側面４０のそれぞれには蓋片４１が設けられ、各蓋片４１は水平方向に形成された折り目４２に沿って折り込み可能である。各蓋片４１を箱体４の開口へ折り込むことによって、箱体４の開口を閉じることができる。
【００２１】
注入補助具１は、図１および図２に示されるように袋体２の注入口３を係止するための係止部１０を備える。係止部１０は、中央部分が半円形状に形成されており、この半円形状の部分が、注入口３のフランジ部３１の下側に入り込んで係合することによって、袋体２の注入口３を係止する。
【００２２】
さらに、注入補助具１は、係止部１０を注入口３から解除可能にするための解除手段を備える。この解除手段は、係止部１０をスライド移動するためのレール部１１を備える。レール部１１は、係止部１０を間にして互いに平行に設けられた２本のレール部材１１ａ、１１ｂからなる。係止部１０は、レール部材１１ａ、１１ｂに移動可能に取り付けられ、レール部材１１ａ、１１ｂに沿ってスライド移動する。これによって、係止部１０は、袋体２の注入口３を係止する位置１０ａ（以下、係止位置という）（図５参照）と、注入口３の係止を解除する位置１０ｂ（以下、解除位置という）（図６参照）とを移動することができる。
【００２３】
さらに、この解除手段は、係止部１０を係止位置１０ａに付勢するための付勢手段を備える。この付勢手段は、二つの引っ張りばね部材１２ａ、１２ｂで構成される。一方のばね部材１２ａは、一端がレール部材１１ａの端部に取り付けられ、他端は係止部１０に取り付けられる。他方のばね部材１２ｂは、一端が他方のレール部材１１ｂの端部に取り付けられ、他端は係止部１０に取り付けられる。係止部１０が注入口３を係止するときに、ばね部材１２ａ、１２ｂが注入口３に接触しないように、２つのばね部材１２ａ、１２ｂは係止部１０の半円形状の部分を間にして両側に取り付けられる。
【００２４】
上記構成により、ばね部材１２ａ、１２ｂの付勢力が解除位置１０ｂから係止位置１０ａの方向に作用するため、係止部１０を係止位置１０аに付勢することができる。これにより、係止位置１０ａにおいて係止部１０が注入口３を係止しているときに、係止部１０が係止位置１０ａから解除位置１０ｂへスライド移動することを防止し、係止部１０は係止位置１０ａにおいて安定して注入口３を係止できる。
【００２５】
さらに、解除手段は、各レール部材１１ａ、１１ｂを連結する固定部材１３（図１）と、レール部材１１ａ、１１ｂに移動可能に設けられた移動部材１４とを備える。固定部材１３は、レール部材１１ａ、１１ｂの解除位置１０ｂ側の端部において、レール部材１１ａ、１１ｂと垂直になるように設けられる。移動部材１４は係止部１０に連結され、係止部１０とともにレール部材１１ａ、１１ｂに沿ってスライド移動する。使用者は、固定部材１３および移動部材１４を挟持し、移動部材１４を固定部材１３に近接させるようにレール部材１１ａ、１１ｂに沿って移動させると、係止部１０は移動部材１４とともに、ばね部材１２ａ、１２ｂの付勢力に反して、係止位置１０ａから解除位置１０ｂにまでスライド移動できる。すなわち、係止部１０を注入口３から解除することができる。
【００２６】
さらに、注入補助具１は、袋体２を箱体４に収納するときに、箱体４に取り付けるための取付部１５を備える。本実施例では、取付部１５は、固定部材１３の上側において水平方向に伸びる水平部材１６の両端に２つ、レール部材１１ａ、１１ｂの端部から上方向に伸びる垂直部材１７の端部に１つ設けられる。取付部１５は下向きの凹状に形成され、各取付部１５をそれぞれ、各蓋片４１の縁に取り付けることにより、注入補助具１を箱体４に取り付けることができる。
【００２７】
さらに、注入補助具１は固定プレート５０を備える。固定プレート５０は、その下端がレール部材１１ａ、１１ｂより下側に位置するように、垂直部材１７に沿って設けられる。さらに、注入補助具１は、折り畳んだ袋体２を注入口３の下側から保持するための保持プレート５１を備える。保持プレート５１は、固定プレート５０の下端において、蝶番５２を介して取り付けられ、回動可能に支持される。保持プレート５１は、図２Ｂに示されるように、固定プレート５０から垂下した状態から、レール部材１１ａ、１１ｂの下側において、水平方向となる位置にまで回動することができる。
【００２８】
図４に示されるように、折り畳まれた袋体２の注入口３を係止部１０により係止した状態で、保持プレート５１を水平方向になるまで回動させると、袋体２は保持プレート５１により、上面２０が水平方向に、側面２１が垂直方向になるように、注入口３の下側から保持される。
【００２９】
次に、この注入補助具１を用いて、袋体２を箱体４に収納し、袋体２に液体を充填する方法について説明する。
【００３０】
箱体４は、各蓋片４１を折り込まずに開口した状態まで組み立てておき、袋体２は折り畳んだ状態で、広げることなく用いる。注入補助具１を用い、係止位置１０ａにおいて係止部１０により袋体２の注入口３を係止し、さらに、保持プレート５１が水平方向になるように回動させて、図４に示すように、袋体２の上面２０を水平方向に、側面２１を垂直方向になるよう袋体２を保持する。
【００３１】
保持プレート５１と固定部材１３とを片手で把持して、保持プレート５１を水平方向に支持しながら注入補助具１と袋体２を持ち、垂直方向に保持された側面２１と箱体４の側面４０の一つとが合わさるように、袋体２を箱体４内に収納し、各取付部１５を箱体４の各蓋片４１に取り付ける。注入補助具１を箱体４に取付け、袋体２と注入補助具１から手を離して保持プレート５１の支持を解くと、保持プレート５１は重力により水平方向から垂直方向になるまで回動し、箱体１の側面４０に沿って垂下する。注入補助具１を箱体４に取り付けると、図５に示されるように、係止部１０は、箱体４の折り目４２付近の高さにおいて、上向きになるように注入口３を係止するので、注入口３から液体を充填することができる。
【００３２】
液体を注入口３から注入すると、折り目２６に沿って折り込まれた袋体２の側面２２、２４は次第に折り戻され、折り畳まれた袋体２は直方形状となるよう広がり始める。袋体の側面２１と、箱体４の側面４０の一つとが合わさった状態のまま袋体は広がっていくので、袋体２は、袋体２の各側面２１、２２、２３、２４と箱体の各側面４０とが、さらに底面どうしが合わさるように直方形状にまで広がり、液体の充填が完了したときには、袋体２は箱体４にきちんと収納された状態となっている。このとき、保持プレート５１は、袋体２の側面２３と箱体４の側面４０との間に位置する。
【００３３】
通常、袋体２を箱体４に収納してから液体を充填するときは、折り畳まれた袋体２を予めある程度広げてから箱体４に収納しなければ、液体を注入しても箱体４内において袋体２が直方形状にまで広がりにくく、液体が充填された袋体２をきちんと箱体４に収納することが難しい。しかしながら、本実施例では、注入補助具１により、折り畳まれた袋体２の側面２１と、箱体４の側面４０の一つとが合わさるように、袋体２を箱体４内に収納したことで、袋体２は、液体の注入に伴い、自然に箱体４内で直方形状にまで広がり、箱体４にきちんと収納された状態になる。すなわち、注入補助具１を用いれば、液体を充填する前に折り畳まれた袋体２を予め広げる必要がなく、作業効率が非常によい。
【００３４】
液体を充填した後は、注入補助器具１を箱体４から取り外す。まず、解除手段により係止部１０を注入口３から解除する。すなわち、固定部材１３と移動部材１４と挟持し、図６に示すように、ばね部材１２ａ、１２ｂの付勢力に反して、係止部１０を、係止位置１０ａから解除位置１０ｂにまでレール部材１１ａ、１１ｂに沿って移動させる。そして、係止部１０が解除位置１０ｂにある状態のまま、注入補助具１を垂直方向に持ち上げる。
【００３５】
このとき、係止部１０は解除位置１０ｂにあるため、係止部１０が注入口３に引っ掛かって取り外しの障害になることはない。また、蓋片４１の縁に取り付けられた取付部１５も、注入補助具１を持ち上げることにより、蓋片４１の縁から取り外される。さらに、保持プレート５１は、袋体２の側面２３と、箱体の側面４０との間で垂下しているので、注入補助具１を持ち上げれば、簡単に箱体４から取り出すことができる。すなわち、注入補助具１を垂直方向に持ち上げれば、注入補助具１を完全に箱体４から取り外すことができ、液体が充填された袋体２を箱体４に収納することができる。
【００３６】
したがって、この注入補助具１を用いれば、注入補助具１を取り外すときに、係止部１０が注入口３に引っ掛かることはなく、取り外しのために注入補助具１を無理に傾けなくてよいので、注入口３が傾いて注入口３から液体が漏れることはない。そして、係止部１０を注入口３から解除して、注入補助具１を垂直方向に持上げるだけで箱体４から取り外しでき、取外しが非常に容易である。
【００３７】
上記の注入補助具１により、袋体２の注入口３から液体が漏れることを防止できるが、充填機のノズル（図示せず）からの液垂れにより袋体２および箱体４が濡れる虞がある。そこで、本発明に係る注入補助具１は、さらに図７に示されるじょうご６を備えてもよい。このじょうご６は、流入口６０および流出口６１を備える。流入口６０は、その開口が長方形状であり、ちょうど箱体４の開口に収まる程度の大きさであり、注入される液体を流出口６１にまで案内する。流出口６１は、その径が袋体２の注入口３の径よりも小さく、袋体２の注入口３に着脱自在に取り付けることができ、流入口６０からの液体が注入口３に注入されるように案内する。
【００３８】
注入補助具１を箱体４に取り付け、じょうご６の流出口６０を、係止部１０により係止された注入口３に取り付けて、充填機により液体を充填する。このじょうご６を取り付けると、じょうご６の流入口６０が箱体４の開口全体を覆うので、充填機のノズルから液垂れしたとしても、流入口６０が垂れた液体を全て受けることができる。したがって、液だれにより袋体２および箱体４が濡れることを防止できる。
【００３９】
じょうご６を用いて袋体２に液体を充填した後は、じょうご６の流出口６１を注入口３から取り出し、係止部１０を注入口３から解除して、注入補助具１を箱体４から取り外せばよい。
【符号の説明】
【００４０】
１  注入補助具
１０  係止部
１０ａ  係止位置
１０ｂ  解除位置
１１  レール部
１１ａ、１１ｂ  レール部材
１２ａ、１２ｂ  ばね部材（付勢手段）
１５  取付部
２  袋体
２０  袋体の上面
２１〜２４  袋体の側面
２６  袋体の折り目
３  注入口
３1 フランジ部
４  箱体
４０  箱体の側面
４１  箱体の蓋片
５１  保持プレート
６  じょうご
６０  流入口
６１  流出口
【図１】
0005491898.tif 000002
【図２】
0005491898.tif 000003
【図３】
0005491898.tif 000004
【図４】
0005491898.tif 000005
【図５】
0005491898.tif 000006
【図６】
0005491898.tif 000007
【図７】
0005491898.tif 000008